(57)【特許請求の範囲】
【請求項１】
プロセス制御に関する操作監視用表示装置において、
ウィンドウ表示内容の一部を拡大縮小表示するための表示位置並びに拡大縮小率を設定するズーム設定ダイアログ手段と、
拡大縮小表示されたウィンドウの表示位置をスクロール可能とするスクロールバー手段と、前記拡大縮小ウィンドウの表示位置設定を変更したときに前記スクロールバー位置を変更するための表示位置変化計算手段と、
前記ズーム設定ダイアログ手段により設定された拡大縮小ウィンドウ位置並びに拡大縮小率を、前記ダイアログを表示したまま適用させる適用ボタン手段と、
設定内容を最終確定しダイアログ表示を消去するＯＫボタン手段と、
を具備した操作監視用表示装置。
【請求項２】
前記ズーム設定ダイアログ手段により設定された拡大縮小ウィンドウの表示位置並びに拡大縮小率を記憶するズーム設定ダイアログ内容記憶手段を具備し、次回にズーム設定ダイアログが呼び出されたときに前回のダイアログ設定内容が反映されることを特徴とする請求項１記載の操作監視用表示装置。
【発明の詳細な説明】
【０００１】
【発明の属する技術分野】
本発明は、プロセス制御に関する操作監視用表示装置において、表示内容の一部を拡大縮小表示するウィンドウ位置並びに  拡大縮小率を設定するズーム設定ダイアログ手段の機能改善に関する。
【０００２】
従来技術の説明に先立ち、本発明が適用されるプロセス制御装置の概要を図８に基いて説明する。図において、制御部２はプラント１の監視と制御とを行う。
そして、制御部２は、監視結果に基づいて、記憶部３に記憶された描画データにより表示部（ＣＲＴ）４に操作監視ウィンドウの表示を行う。操作手段５はキーボード又はマウスで、制御部２を操作する。
【０００３】
制御部２は、監視制御手段２１と表示処理手段２２とからなる。また、制御部2は一般にコンピュータで構成され、監視制御手段２１及び表示処理手段２２は一般にプログラムで記述されている。そしてこのプログラムは、一般に記録媒体（ＦＤＤ，ＣＤ−ＲＯＭ等）またはネットワークを経由した上位のコンピュータからのダウンロードでインストールされる。
【０００４】
監視制御手段２１は、プラント１の監視を行うと共にプラント１における各種プロセスの制御を行う。表示処理手段２２は、監視制御手段２１からの監視結果を入力し、スケーリング指示に基づいて決められた描画データを記憶部３から呼び出し、大きさの演算を行い、表示部４への表示処理を実行する。
【０００５】
記憶部３は例えばハードディスク等で、画面データ３１、計器表示データ３２を記憶する。画面データ３１は、画面に描画する種類情報、大きさ情報、位置情報、操作調節キー情報などからなる。
【０００６】
表示部４によるウィンドウ表示の種類には、グラフィックウィンドウ、制御ドローイング状態表示ウィンドウ、ロジックチャート状態表示ウィンドウ等がある。グラフィックウィンドウは、オペレータがシステムを操作監視するための仮想的な計器図、データ、ボタンなどを表示し、一枚のウィンドウで多くの情報が得られる。
【０００７】
制御ドローイング状態表示ウィンドウは、システムの処理の流れを示したウィンドウであり、システムの入出力値、設定値などを表示する。このウィンドウでは、表示するデータ量が多く、システム全体を表示するため、個々のデータの表示サイズは小さくなってしまう。
【０００８】
ロジックチャート状態表示ウィンドウは、データ値の演算処理の流れ等を示したウィンドウである。これらウィンドウは、多くのデータが得られる反面、データの表示サイズが小さくなってしまう問題点があり、表示内容の特定部を拡大縮小表示させるズーム機能を持たせることが行われる。
【従来の技術】
図７はグラフィックウィンドウの拡大縮小の設定を行うためのズーム設定ダイアログ画面であり、画面上部の拡大縮小エリア設定部、画面下部の機能操作ボタン部よりなる。拡大縮小エリア設定部においてＡは所定の面積を有する表示位置設定領域の初期位置を示す。この領域はマウスのドラッグ操作により、点線で示すように画面内で任意位置Ｂに移動させることができる。
【０００９】
機能操作ボタン部は、ZoomIn、ZoomOut、ZoomTo、PanTo、Reset、Closeの6個のボタンを有し、設定領域内の拡大縮小率、パン設定、リセット、ダイアログ消去等の操作を実行する。
【００１０】
【発明が解決しようとする課題】
このようなズーム機能の問題点の第１は、位置設定された領域のみを拡大縮小して表示するため、別の領域の拡大縮小表示をすることができない。別の領域表示をするためには、再度ズーム設定ダイアログ画面を呼び出して設定領域位置の移動操作をする必要がある。このため、オペレータに煩雑な操作を強いることになり、ストレスが大きい。
【００１１】
問題点の第２は、ウィンドウを表示するたびに、拡大、縮小、設定領域の指定を改めてしなければならない。即ち、ウィンドウを消した場合に、直前のズーム設定データの記憶機能がなく、ズームデータが無効となるので、前回と同じ条件での立ち上げができない。
【００１２】
問題点の第３は、ZoomIn、ZoomOutボタンを押すと、誤って押した場合も即時に設定内容がウィンドウに反映されてしまう点である。即ち、設定内容を試行錯誤しながらウィンドウを確認し、最終決定する操作ができない。
【００１３】
問題点の第４は、初期化ボタンがないので、一旦設定したズーム情報をデフォルトの初期状態に戻すことができない。従って、最初の位置からの設定操作が不可能である。
【００１４】
【課題を解決するための手段】
このような課題を達成するために、請求項１記載発明の特徴は、プロセス制御に関する操作監視用表示装置において、ウィンドウ表示内容の一部を拡大縮小表示するための表示位置並びに拡大縮小率を設定するズーム設定ダイアログ手段と、拡大縮小表示されたウィンドウの表示位置をスクロール可能とするスクロールバー手段と、前記拡大縮小ウィンドウの表示位置設定を変更したときに前記スクロールバー位置を変更するための表示位置変化計算手段と、前記ズーム設定ダイアログ手段により設定された拡大縮小ウィンドウ位置並びに拡大縮小率を、前記ダイアログを表示したまま適用させる適用ボタン手段と、設定内容を最終確定しダイアログ表示を消去するＯＫボタン手段と、を具備した点にある。
【００１５】
請求項２記載発明の特徴は、前記ズーム設定ダイアログ手段により設定された拡大縮小ウィンドウの表示位置並びに拡大縮小率を記憶するズーム設定ダイアログ内容記憶手段を具備し、次回にズーム設定ダイアログが呼び出されたときに前回のダイアログ設定内容が反映される点にある。
【００１８】
【発明の実施の形態】
以下本発明実施態様を、図面を用いて説明する。本発明の適用対象システムについては、図８で説明した構成と同一である。図１は本発明操作監視用表示装置の機能ブロック図を示す。
ズーム設定ダイアログ手段６は、ウィンドウ表示内容の一部を拡大縮小表示するための表示位置並びに拡大縮小率を設定する。
スクロールバー手段７は、拡大縮小表示されたウィンドウの表示位置をスクロール可能とする。
表示位置変化計算手段８は、拡大縮小ウィンドウの表示位置設定を変更したときにスクロールバー位置を変更する。
【００１９】
ズーム設定ダイアログ内容記憶手段９は、ズーム設定ダイアログ手段６により設定された拡大縮小ウィンドウの表示位置並びに拡大縮小率を記憶する。
初期化ボタン手段１０は、ズーム設定ダイアログ手段６の初期設定状態を表示する。
適用ボタン手段１１は、ズーム設定ダイアログ手段６により設定された拡大縮小ウィンドウ位置並びに拡大縮小率を、ダイアログを表示したまま暫定的に反映したウィンドウを表示させる。
ＯＫボタン手段１２は、設定内容を最終確定しダイアログ表示を消去する。
【００２０】
図２は、本発明操作監視用表示装置におけるズーム設定ダイアログの表示画面であり、図７と同様に画面上部の拡大縮小エリア設定部、画面下部の機能操作ボタン部よりなる。
【００２１】
拡大縮小エリア設定部においてＡは所定の面積を有する四角形の表示位置設定領域の初期位置を示す。この領域はマウスのドラッグ操作により、点線で示すように画面内で任意位置Ｂに移動させることができる。
【００２２】
機能操作ボタン部は、拡大、縮小、初期化、ＯＫ、キャンセル、適用の6個のボタンを有し、設定領域内の拡大縮小率、初期化、適用等本発明独自の操作を実行する。
【００２３】
図３は、本発明装置によるズーム設定手順を示すウィンドウ遷移図である。（ａ）はプロセス操作監視用ウィンドウであり、ツールバーに設けたズームボタンをクリックすることにより（ｂ）のズーム設定ダイアログ画面が表示される。このダイアログ画面によりウィンドウ上で拡大縮小表示させたい位置をマウスのドラッグで初期位置Ａより任意の位置Ｂに移動できる。表示範囲の左上の位置は操作監視ウィンドウで常に表示されている十字カーソルの交点Ｋに反映されるので、ズーム位置の確認が容易である。
【００２４】
位置の決定を終了した後、拡大ボタン、縮小ボタンで任意の拡大率を設定し、ＯＫボタンをクリックすると、（ｂ）のダイアログの設定内容を反映した全画面に拡大された操作監視ウィンドウ（ｃ）となる。
【００２５】
このウィンドウの特徴は、垂直方向スクロールバー手段ＳＣ１及び水平方向スクロールバー手段ＳＣ２を具備している点にある。これらスクロールバー手段の付与は、従来のズーム機能にはない本発明の主要部をなす機能であり、この機能により当初の監視操作ウィンドウ（ａ）の任意位置にズーム表示位置を移動させることが可能であり、従来のように一々（ｂ）のズーム設定ダイアログ画面に戻って位置変更操作をする必要がなく、操作性が著しく向上する。
【００２６】
図４は、ズーム設定ダイアログ（ａ）において拡大縮小設定位置をＡからＢに移動させた場合のスクロールバー位置の変更計算手順を説明するフローチャート図である。まずステップＳ１で四角形の表示位置設定領域Ａの変更がマウスにより行われると、ステップＳ２では表示位置設定領域内での処理が実行される。マウスの移動距離が計算され、計算後の表示位置Ｂに表示位置設定領域を動かし、動かしたことをズーム設定ダイアログに通知する。
【００２７】
次にステップＳ３では、通知を受けたズーム設定ダイアログ内での処理が実行される。四角形の表示位置Ｂの座標からウィンドウで表示する位置の座標が計算され、四角形が動いたことをウィンドウに通知する。
【００２８】
次にステップＳ４では、通知を受けたウィンドウでの処理が実行される。ウィンドウで表示する位置座標からスクロールする量の計算が行われ、その結果に基（ｃ）のズームウィンドウにおけるスクロールバーＳＣ１，ＳＣ２の位置変更が実行される。
【００２９】
図５のフローチャートに基づき、本発明の他の特徴であるＯＫ、適応、キャンセルボタンの機能を説明する。このフローチャートは、ズーム設定ダイアログを表示してズーム情報（拡大ボタンを押す）を設定した後の処理の流れを示している。最初のステップでは、ズーム設定ダイアログにおいて、ＯＫ、適用、キャンセルボタンが押された場合はそのズーム情報が記憶される。
【００３０】
次の判断ステップでは、現在のウィンドウ状態と倍率または表示位置が異なっているか否かがチェックされ、変更がなければＯＫ、適用、キャンセルボタンのどのボタンが押されていてもズーム設定ダイアログ画面を消去し、終了する。
【００３１】
前記判断ステップで変更があった場合において、キャンセルボタンが押された時には、ズーム設定ダイアログ画面が消去され、終了する。前記判断ステップで変更があった場合において、変更後ＯＫボタンまたは適用ボタンが押された時にはズーム率と表示位置情報を基にウィンドウの再表示が実行される。
【００３２】
ＯＫボタンが押されたことによる再表示の場合は、ズーム設定ダイアログ画面を消去し、終了する。適用ボタンが押されたことによる再表示の場合には、ズーム設定ダイアログ画面を消去しないで終了する。
【００３３】
この処理フローから明らかなように、ズーム設定の変更後適用ボタンを押した場合には変更がウィンドウに反映されるが、ズーム設定ダイアログ画面は消去されないので、新たな変更とウィンドウへの反映を何回でも試行設定できる。最終決定したときにＯＫボタンを押すことでズーム設定ダイアログ画面が消去される。
【００３４】
設定の途中においても、初期化ボタンを押した場合には、ズーム設定を実行する前の初期設定状態に強制的に戻されるので、設定を最初からやり直すことが容易にできる。またキャンセルボタンが押されればズーム設定ダイアログ画面が消えて設定作業をいつでも中断することができる。
【００３５】
また図５のフローのスタートステップで明らかなように、ズーム設定ダイアログにおいて、ＯＫ、適用、キャンセルボタンが押された場合はそのズーム情報が記憶される。したがってズーム設定ダイアログ画面を消去した後、再度呼び出した場合に、前回の設定内容を再度設定しなおすことなく、前回ズーム設定内容を反映したウィンドウ表示が可能となる。
【００３６】
図６は、ツールバーのズームボタンが押された後のズーム設定ダイアログ表示処理の流れを示すフローチャートであり、ダイアログがすでに作成されているか否かがチェックされ、作成されていればダイアログを表示し、作成されていない場合には、ダイアログをアクティブにする。
【００３７】
【発明の効果】
以上説明したことから明らかなように、本発明によれば次のような効果が期待できる。
ズーム表示された操作監視用ウィンドウに垂直方向スクロールバー手段ＳＣ１及び水平方向スクロールバー手段ＳＣ２を具備せしめることにより、操作監作ウィンドウの任意位置にズーム表示位置設定領域を移動させることが可能であり、従来のように一々ズーム設定ダイアログ画面に戻って位置変更操作をする必要がない。即ち、オペレータに煩雑な操作を強いることのない、操作性を著しく向上せしめた操作監視用表示装置を実現できる。
【００３８】
ズーム設定の内容は記憶されるので、次回ズーム設定ダイアログが呼び出されたとき、前回設定の内容が反映されたウィンドウ表示が得られ、ウィンドウを表示するたびに、拡大、縮小、設定領域の指定を改めてしなければならない煩雑操作をなくすことができる。
【００３９】
適用ボタン、ＯＫボタンの導入により、設定内容を確認しながら何回でも試行した後に最終決定することができ、従来のようにZoomIn、ZoomOutボタンを押すと直ちに最終決定されてズーム設定ダイアログ画面が消える問題点が解決される。
【００４０】
さらに、初期化ボタンによりいつでもズーム情報を初期状態に戻すことができ、キャンセルボタンによりいつでもズーム設定作業を中断することが可能であり、操作性を向上させることができる。
【図面の簡単な説明】
【図１】本発明操作監視用表示装置の機能ブロック図である。
【図２】本発明操作監視用表示装置におけるズーム設定ダイアログ手段の表示画面である。
【図３】本発明装置によるズーム設定手順を示すウィンドウ遷移図である。
【図４】ズーム設定ダイアログ（ｂ）において拡大縮小範囲の設定位置をＡからＢに移動させた場合のスクロールバー位置の変更計算手順を説明するフローチャート図である。
【図５】ズーム設定ダイアログを呼び出してズーム情報（拡大ボタンを押す）を設定した後の処理の流れを示すフローチャート図である。
【図６】ツールバーのズームボタンが押された後のズーム設定ダイアログ呼び出し処理の流れを示すフローチャート図である。
【図７】従来の操作監視用表示装置におけるズーム設定ダイアログ手段の表示画面である。
【図８】本発明が適用されるプロセス制御装置の概要を説明するブロック線図である。
【符号の説明】
６    ズーム設定ダイアログ手段
７    スクロールバー手段
８    表示位置変化計算手段
９    ズーム設定ダイアログ内容記憶手段
１０  初期化ボタン手段
１１  適用ボタン手段
１２  ＯＫボタン手段
【図１】
0004258823.tif 000002
【図２】
0004258823.tif 000003
【図３】
0004258823.tif 000004
【図４】
0004258823.tif 000005
【図５】
0004258823.tif 000006
【図６】
0004258823.tif 000007
【図７】
0004258823.tif 000008
【図８】
0004258823.tif 000009